(57)【要約】機械台（６０）の上にエレベータの巻上機（１）を固定する巻上機台は、上部に巻上機（１）が搭載される巻上機台本体（３）と、ソラセ車（７）を回転可能に支持するソラセ車取付台（８）と、を備え、巻上機台本体（３）は、上面視において、複数の方向に、それぞれ異なるピッチで取り付け孔（３０）が配置された、複数の取り付け部（３０ａ，３０ｂ）を有し、巻上機台本体（３）は、機械台（６０）に設けられた被取り付け孔（２０）の間隔と、取り付け孔（３０）のピッチとが一致する、取り付け部（３０ａ）により、機械台（６０）に固定される。
2017216911.tif 000002
【特許請求の範囲】
【請求項１】
機械台の上にエレベータの巻上機を固定する巻上機台において、
前記巻上機台は、上部に巻上機が搭載される巻上機台本体と、
ソラセ車を回転可能に支持するソラセ車取付台と、を備え、
前記巻上機台本体は、上面視において、複数の方向に、それぞれ異なるピッチで取り付け孔が配置された、複数の取り付け部を有し、
前記巻上機台本体は、前記機械台に設けられた被取り付け孔の間隔と、前記取り付け孔の前記ピッチが一致する、前記取り付け部により、前記機械台に固定される、エレベータ用巻上機台。
【請求項２】
前記複数の方向は、上面視において、前記巻上機台本体の短手方向と長手方向である、請求項１に記載のエレベータ用巻上機台。
【請求項３】
エレベータの巻上機台の固定方法において、
機械台に取り付けられ、上部に巻上機が搭載される巻上機台本体と、
ソラセ車を回転可能に支持するソラセ車取付台と、を準備し、
前記巻上機台本体に、上面視において複数の方向に、異なるピッチで複数の取り付け孔を配置し、
前記機械台の被取り付け部に設けられた被取り付け孔の間隔と前記ピッチとを照合し、
前記被取り付け孔の間隔と前記ピッチとが一致する、複数の前記取り付け孔を特定し、
前記被取り付け孔の位置に、特定された複数の前記取り付け孔の位置が一致する方向に、前記巻上機台本体を位置決めし、
前記ソラセ車取付台を、位置決めした前記巻上機台本体に結合し、
結合された前記巻上機台本体および前記ソラセ車取付台を、前記機械台に締結する、エレベータ用巻上機台の固定方法。
【発明の詳細な説明】
【技術分野】
【０００１】
本発明は、エレベータの巻上機を固定する、エレベータ用巻上機台に関するものである。
【背景技術】
【０００２】
エレベータ用巻上機台は、一方にかごが他方に釣合オモリがつるべ状に吊り下げられた、主索が巻き掛けられた綱車を有するエレベータの巻上機、および釣合オモリの吊り位置をずらすソラセ車を、平行に設置された２本の鋼材からなる機械台上に固定するものである。かごと釣合オモリの位置関係は、エレベータのかごや釣合オモリが昇降する昇降路の機器配置によって決定されるが、この機器配置は、エレベータおよび周辺機器の寸法や建築設計側の条件により決定されるので、機械台の仕様は各物件により異なる。しかし、これらの各仕様に応じて多種多様な巻上機台を製作することは、コストアップや設計期間の長期化を招いていた。【０００３】
そこで、特許文献１には、標準的な巻上機台に延長用の巻上機台を締結することで、標準的な巻上機台を流用して、吊り位置の間隔が大きい仕様のものに対応したものが記載されている。【０００４】
また、特許文献２には、巻上機台を上下に分割して、下部材に複数の取り付け穴を設けておき、機械台の間隔や吊り位置の間隔に応じて、巻上機台を構成する部材の締結位置を変えることで、巻上機台に汎用性を持たせる技術が記載されている。
【先行技術文献】
【特許文献】
【０００５】
【特許文献１】特開昭６０−１８３４８５号公報
【特許文献２】特許第５７４３０２９号公報
【発明の概要】
【発明が解決しようとする課題】
【０００６】
しかしながら、特許文献１に記載の構造は、機械台の間隔が異なる場合には対応できない。また、特許文献２に記載の構造は、下部材を、吊り位置の間隔が最大のものに合わせた外形寸法で製作する為、改修工事などで、巻上機を巻上機台に組付けた状態で機械室に搬入する際に、機械室の入口が狭かったり、機械室への揚重に階段しか使えない等の制限があると、搬入が困難となり、特殊揚重治具を必要としたり、据付に長時間を要するなど、多大な費用負担を強いられるおそれがある。【０００７】
この発明は、上記のような課題を解決するためになされたものであり、汎用性を持たせて種類を削減すると共に、外形寸法を抑えて搬入性を向上させたエレベータ用巻上機台、およびエレベータ用巻上機台の固定方法を得ることを目的とする。
【課題を解決するための手段】
【０００８】
この発明に係るエレベータ用巻上機台は、上部に巻上機が搭載される巻上機台本体と、巻上機台本体に固定され、ソラセ車を回転可能に支持するソラセ車取付台と、を備え、巻上機台本体は、上面視において、複数の方向に、それぞれ異なるピッチで取り付け孔が配置された、複数の取り付け部を有し、巻上機台本体は、機械台に設けられた被取り付け孔の間隔と、取り付け孔のピッチが一致する取り付け部により、機械台に固定される。
【発明の効果】
【０００９】
この発明に係るエレベータ用巻上機台によれば、被取り付け孔の間隔が異なる機械台に対応可能とするとともに、巻上機台の外形寸法を小さくして、機械室への搬入性を向上させることができる。
【図面の簡単な説明】
【００１０】
【図１】本発明の実施の形態１による巻上機台の正面図である。
【図２】図１の巻上機台を構成する各部品を、上方から見た簡略図で示した図である。
【図３】本発明の実施の形態１による巻上機台を、設置間隔の異なる他の機械台に固定した場合の正面図である。
【図４】図３の巻上機台を構成する各部品を、上方から見た簡略図で示した図である。
【図５】本発明の実施の形態２による巻上機台の正面図である。
【図６】本発明の実施の形態２による、下部巻上機台とソラセ車取付台の組み付け例を、上方から見た簡略図で示した図である。
【図７】本発明の実施の形態２による、下部巻上機台とソラセ車取付台の、他の組み付け例を、上方から見た簡略図で示した図である。
【図８】巻上機台の傾き調整について説明した図である。
【図９】図８の傾き調整に用いる傾き調整板の例を示す図である。
【発明を実施するための形態】
【００１１】
以下、本発明のエレベータ用巻上機台の好適な実施の形態につき、図１〜図８を用いて説明する。
【００１２】
実施の形態１．
図１は本発明の実施の形態１における巻上機台を示す正面図、図２は図１の巻上機台を構成する各部品を、上方から見た簡略図である。図２の簡略図に示すように、本実施の形態１における巻上機台は、上部巻上機台２と、下部巻上機台３と、ソラセ車取付台８と、の３つの部品により構成されている。
【００１３】
図１、および図２において、図示しない機械室床に、２本の鋼材６０１および６０２を、一定の間隔Ｌ１で平行に配置した、機械台６０が設置されており、鋼材６０１および６０２には、それぞれ複数の被取り付け孔２０が設けられている。図２において、下部巻上機台３を固定する被取り付け孔２０の組を被取り付け部２０ａとし、ソラセ車取付台８を固定する被取り付け孔２０の組を、被取り付け部２０ｃとする。
【００１４】
図２示すように、下部巻上機台３は、上面視において、短手方向と長手方向を備えた外形形状を有しており、短手方向と長手方向のそれぞれの下部に、取り付け孔３０がＬ１のピッチで配置された第１取り付け部３０ａと、取り付け孔３０がＬ２のピッチで配置された第２取り付け部３０ｂとを有している。第１取り付け部３０ａと第２取り付け部３０ｂは、取り付ける機械台６０の被取り付け孔２０の間隔に応じて選択され、図１、および図２においては、機械台６０の被取り付け孔２０の間隔Ｌ１が、下部巻上機台３の第１取り付け部３０ａの取り付け孔３０のピッチＬ１と一致するので、下部巻上機台３の長手方向が、機械台６０の長手方向と平行となるように取り付けられている。
【００１５】
下部巻上機台３とソラセ車取付台８とは、下部巻上機台３の短手方向および長手方向の下部に設けられた複数の取り付け孔３２と、ソラセ車取付台８の下部に設けられた２つの取り付け孔４０とが、締結部材１２によって締結され、結合されている。そして、下部巻上機台３の第１取り付け部３０ａが、締結部材１１により、防振部材５を介して機械台６０の被取り付け部２０ａに締結固定され、ソラセ車取付台８の取り付け孔４１が、締結部材１３により、防振部材５を介して機械台６０の被取り付け部２０ｃに取り付けられている。
【００１６】
ソラセ車７は、ソラセ車取付台８にソラセ車取付梁９を介して吊り下げる構造で回転可能に支持固定されている。下部巻上機台３の上には上部巻上機台２が締結部材１０によって締結固定されており、上部巻上機台２の上に巻上機１が締結部材１４によって締結固定されている。また、巻上機台を構成する上部巻上機台２、下部巻上機台３、およびソラセ車取付台８は、図２のように分離された状態で現地に搬入され、現地の機械室において組み立てられる。
【００１７】
また、巻上機１は、機械台６０に対し、上部巻上機台２と下部巻上機台３、および防振部材５の３つの部品を介して取り付けられるため、水平度を調整する必要がある。この水平度の調整は、図８に示すように、上部巻上機台２と下部巻上機台３の締結部分に、図９に示す傾き調整板１５を必要数挿入して行われる。なお、図１、および図２においては、ソラセ車取付梁９によるソラセ車７の支持部は図示しておらず、また、図２において、巻上機１、主索４、防振部材５、傾き調整板１５、および各締結部材は省略している。
【００１８】
図３、および図４は、図１、および図２に記載されたものとは異なる間隔で鋼材６１１、および６１２を配置した機械台６１に、本実施の形態１の巻上機台を取付ける場合を示したものである。図１、および図２と異なる点は、機械台６１における、被取り付け部２０ｂの被取り付け孔２０の間隔が、Ｌ１よりも大きいＬ２である点と、下部巻上機台３を、図２に示す状態から、水平面内で９０度回転させて、機械台６１に取り付けている点であり、他の構成は、図１、および図２と同じである。
【００１９】
下部巻上機台３の長手方向には、機械台６１の被取り付け部２０ｂの被取り付け孔２０の間隔Ｌ２と、同じピッチで取り付け孔３０が配置された、第２取り付け部３０ｂが設けられている。したがって、機械台６１に下部巻上機台３を取付ける場合には、下部巻上機台３の短手方向が、機械台６１の長手方向と平行となるように取り付けられる。また、下部巻上機台３の上部には、上部巻上機台２が締結される複数の取り付け孔３１が備えられており、下部巻上機台３の向きを９０度回転させた状態でも、図１、および図２と同じ向きに、上部巻上機台２が取り付け可能となっている。したがって、下部巻上機台３の向きに関わらず、巻上機１は、図１、および図２と同じ向きに、上部巻上機台２に取り付けることができる。
【００２０】
なお、本実施の形態１において、図１、および図２に記載された機械台６０における、被取り付け部２０ａの被取り付け孔２０の間隔Ｌ１と、図３、および図４に記載された機械台６１における、被取り付け部２０ｂの被取り付け孔２０の間隔Ｌ２とは、エレベータの仕様により予め定められており、下部巻上機台３を製作する時点で既知であるとする。そして、本実施の形態１における下部巻上機台３は、予め機械台６０、および機械台６１に対応可能に製作されたものを、一例として示したものである。
【００２１】
次に、図２を用いて、下部巻上機台３を機械台６０に取り付ける手順を説明する。
まず、上部巻上機台２と下部巻上機台３、およびソラセ車取付台８を、分離した状態で機械室に搬入する。
次に、巻上機台が取付けられる機械台６０の、被取り付け部２０ａの被取り付け孔２０の間隔Ｌ１と、下部巻上機台３に設けられた複数の取り付け孔３０のピッチとを照合する。
次に、間隔Ｌ１と前記ピッチとが一致する第１取り付け部３０ａを特定する。
次に、特定された第１取り付け部３０ａの各取り付け孔３０の位置が、被取り付け部２０ａの各被取り付け孔２０の位置と一致する方向に、下部巻上機台３を位置決めする。
次に、ソラセ車取付台８を、位置決めした下部巻上機台３と結合する。（図の矢印（１）の工程）
次に、結合された下部巻上機台３およびソラセ車取付台８を、機械台６０に締結する。（図の矢印（２）の工程）
次に、下部巻上機台３の上に、上部巻上機台２を締結する。（図の矢印（３）の工程）
以上により、巻上機台が機械台に固定される。
【００２２】
本実施の形態１によれば、下部巻上機台３に、複数の方向に取り付け孔を配置した複数の取り付け部を設け、機械台の取り付け孔の間隔に応じて、適合する取り付け部を選択して使用することにより、１つの下部巻上機台３を複数の機械台に対応させることができるので、製作する下部巻上機台３の種類を削減することができる。また、本実施の形態１によれば、巻上機台を、上部巻上機台２と、下部巻上機台３と、ソラセ車取付台８とに分割して、現地で組み立てるようにしているので、各部品の外形寸法を小さくして、機械室への搬入性を向上させることができる。
【００２３】
なお、本実施の形態１の下部巻上機台３は、２種類のピッチで取り付け孔３０が配置された第１取り付け部３０ａと第２取り付け部３０ｂとを備えることにより、２つの機械台６０、および６１に対応可能としたが、これに限定されるものではない。例えば、３種類以上の取り付け部を設けることにより、３つ以上の機械台に対応可能とすることもできる。また、本実施の形態１では、下部巻上機台３の上面視における形状を、短手方向と長手方向を有するものとしたが、これに限定されるものではない。例えば、正方形や多角形、円形等の外形形状としてもよいし、複数の取り付け部を配置する角度も、９０度に限らず、例えば４５度ごとや６０度ごとにしてもよい。
【００２４】
さらに、本実施の形態１では、巻上機台を、上部巻上機台２と、下部巻上機台３と、ソラセ車取付台８と、の３つの部品によって構成したが、これに限るものではない。たとえば、上部巻上機台２と下部巻上機台３を一体の巻上機台として、この巻上機台の上に巻上機１を直接固定するものであってもよい。この場合、巻上機台の上部に、巻上機１を異なる方向に取り付け可能な複数の取り付け部を設けておくことにより、巻上機台を回転させた状態で機械台に固定しても、巻上機１を、機械台に対して常に同じ向きで取り付けることができる。
【００２５】
実施の形態２．
図５、および図６は、本発明の実施の形態２における巻上機台を示す正面図および上面図である。本実施の形態２は、図１に記載されたエレベータとは、巻上機１とソラセ車７の吊り位置間隔が異なるエレベータに、本発明の巻上機台を取り付けたものであり、下部巻上機台３にソラセ車取付台８を取り付ける向きが異なるほかは、図１、および図２と同様の構成である。
【００２６】
図１、および図５に示すように、実施の形態１の巻上機１とソラセ車７の吊り位置間隔はＷ１であり、本実施の形態２における巻上機１とソラセ車７の吊り位置間隔は、Ｗ１よりも大きいＷ２である。図６および図７に示すように、本実施の形態２におけるソラセ車取付台８には、ソラセ車回転軸５０に直交する方向において、ソラセ車回転軸５０からの距離が異なる位置に、それぞれ下部巻上機台３への取り付け部４０ａおよび４０ｂが設けられている。
【００２７】
そして、図６および図７に示すように、上面視において、ソラセ車取付台８の向きを１８０度回転させて下部巻上機台３に取り付けることにより、巻上機１とソラセ車７の吊り位置間隔を、Ｗ１からＷ２に変更することができる。また、下部巻上機台３には、長手方向と短手方向のそれぞれに、ソラセ車取付台８の取り付け部４０ａおよび４０ｂに対応する複数の取り付け孔３２が設けられており、下部巻上機台３の取り付け方向に関わらず、ソラセ車取付台８を下部巻上機台３に取り付けることができる。
【００２８】
本実施の形態２によれば、ソラセ車取付台８に、複数の取り付け部４０ａ、および４０ｂを設けることにより、エレベータの仕様に応じて、下部巻上機台３に対するソラセ車取付台８の取り付け位置を変えることができる。また、一組の下部巻上機台３とソラセ車取付台８とにより、複数の吊り位置間隔に対応することができ、製作する下部巻上機台３、およびソラセ車取付台８の種類を削減することができる。さらに、下部巻上機台３とソラセ車取付台８は個々に出荷されて、現地機械室にて各々締結固定されるので、部品１個あたりの外形寸法を小さくして、機械室への搬入性を向上させることができる。
【符号の説明】
【００２９】
１  巻上機、２  上部巻上機台（巻上機台本体）、３  下部巻上機台（巻上機台本体）、４  主索、５  防振部材、７  ソラセ車、８  ソラセ車取付台、９  ソラセ車取付梁、１０〜１４  締結部材、１５  傾き調整板、２０  被取り付け孔、２０ａ〜２０ｄ  被取り付け部、３０〜３２  取り付け孔、３０ａ  第１取り付け部、３０ｂ  第２取り付け部、４０〜４１  取り付け孔、４０ａ〜４０ｂ  取り付け部、５０  ソラセ車回転軸、６０〜６１  機械台、６０１〜６０２  鋼材、６１１〜６１２  鋼材。
【図１】
2017216911.tif 000003
【図２】
2017216911.tif 000004
【図３】
2017216911.tif 000005
【図４】
2017216911.tif 000006
【図５】
2017216911.tif 000007
【図６】
2017216911.tif 000008
【図７】
2017216911.tif 000009
【図８】
2017216911.tif 000010
【図９】
2017216911.tif 000011
【国際調査報告】
2017216911.tif 000012
2017216911.tif 000013